(57)【特許請求の範囲】
【請求項１】
二枚重ねのフィルムの両側部を一体化してなるとともに、頂部側の第一開口部と、前記頂部側よりも幅狭とされた底部側の第二開口部を有する生花の収納袋であって、
前記収納袋の底部側に、前記二枚重ねのフィルムを線状に一体化してなるキャッチ部を設け、
前記キャッチ部が、前記収納袋の一側部から離間しつつ、前記第二開口部に向かって延設される構成とし、
前記二枚重ねのフィルムを点状に一体化してなるドット部を、前記キャッチ部よりも前記収納袋の一側部から離間させつつ前記収納袋の底部側に配置した請求項１に記載の生花の収納袋。
【請求項２】
前記二枚重ねのフィルムを線状に一体化してなる第一ガイド部と第二ガイド部を、前記キャッチ部よりも前記頂部側に適宜の間隔をあけて設けるとともに、
前記第一ガイド部が、前記収納袋の内方側に向けて凸の円弧形状とされて、前記収納袋の一側部からしだいに離間しつつ、前記キャッチ部側に向かって延設され、
前記第二ガイド部が、前記収納袋の一側部からしだいに離間しつつ、前記キャッチ部側に向かって直線状に延設されて、前記第一ガイド部よりも前記キャッチ部側に配置する請求項１に記載の生花の収納袋。
【発明の詳細な説明】
【技術分野】
【０００１】
本発明は、生花の収納袋に関する。
【背景技術】
【０００２】
この種の生花の収納袋として、特許文献１に開示の収納袋が公知である。この収納袋は、二枚重ねのフィルムの両側部を一体化してなる袋体（正面視で略台形状）であり、第一開口部と、第二開口部を有する。第一開口部は、収納袋の頂部側に形成されており、第二開口部は、頂部側よりも幅狭の底部側に形成される。
そして公知技術では、第一開口部から生花を挿入しつつ、第二開口部から生花の茎を突出させる。つぎに収納袋の底面側に結束具（テープや輪ゴムなど）を巻き付けて、生花の茎とともに締付けることにより、収納袋からの生花の脱落を防止する。
【先行技術文献】
【特許文献】
【０００３】
【特許文献１】特許第３１０３３２８号明細書
【発明の概要】
【発明が解決しようとする課題】
【０００４】
しかし公知技術の構成（結束具が必須の構成）は、収納袋のコスト低減の観点から、すんなり採用できる構成ではなかった。また公知技術では、結束具を巻き付ける作業がやや面倒であることから、生花の収納作業性に劣る構成であった。
本発明は上述の点に鑑みて創案されたものであり、本発明が解決しようとする課題は、収納袋のコスト増加を極力抑えつつ、生花を作業性良く収納することにある。
【課題を解決するための手段】
【０００５】
上記課題を解決するための手段として、第１発明の生花の収納袋は、二枚重ねのフィルムの両側部を一体化してなるとともに、頂部側の第一開口部と、頂部側よりも幅狭とされた底部側の第二開口部を有する。
この種の収納袋では、収納袋のコスト増加を極力抑えつつ、生花を作業性良く収納できることが望ましい。
【０００６】
そこで本発明では、収納袋の底部側に、二枚重ねのフィルムを線状に一体化してなるキャッチ部を設ける。そしてキャッチ部が、収納袋の一側部から離間しつつ（生花の収納寸法を狭小としつつ）、第二開口部に向かって延設される。
本発明では、キャッチ部によって、底面側における生花の収納寸法を狭小とすることで、締結具を要することなく生花（茎）を保持できる。
【０００７】
また第１発明の生花の収納袋は、二枚重ねのフィルムを点状に一体化してなるドット部を、キャッチ部よりも収納袋の一側部から離間させつつ収納袋の底部側に配置した。
本発明では、ドット部によって、底面側における生花の収納寸法を更に狭小とすることで、生花を好適に保持できる。また複数の生花を収納する場合には、例えば茎の束でドット部を破断させることにより、（収納袋を全損させることなく）キャッチ部で生花の束を保持できる。
【０００８】
第２発明の生花の収納袋は、第１発明の生花の収納袋であって、二枚重ねのフィルムを線状に一体化してなる第一ガイド部と第二ガイド部を、キャッチ部よりも頂部側に適宜の間隔をあけて設ける。
そして本発明では、上述の第一ガイド部が、収納袋の内方側に向けて凸の円弧形状とされて、収納袋の一側部からしだいに離間しつつ、キャッチ部側に向かって延設され、第二ガイド部が、収納袋の一側部からしだいに離間しつつ、キャッチ部側に向かって直線状に延設されて、第一ガイド部よりもキャッチ部側に配置する。このため本発明によれば、生花（茎）を、ガイド部に沿ってスムーズにキャッチ部側に導くことができる。
【発明の効果】
【０００９】
本発明に係る第１発明によれば、収納袋のコスト増加を極力抑えつつ、生花を作業性良く収納することができる。また第１発明によれば、生花を更に作業性良く収納することができる。そして第２発明によれば、生花をスムーズに収納することができる。
【図面の簡単な説明】
【００１０】
【図１】収納袋の正面図である。
【図２】（ａ）は、比較的少数の生花を収納した状態の収納袋の正面図であり、（ｂ）は、比較的多数の生花を収納した状態の収納袋の一部正面図である。
【図３】（ａ）は、変形例１にかかる収納袋の正面図であり、（ｂ）は、変形例２にかかる収納袋の正面図であり、（ｃ）は、変形例３にかかる収納袋の正面図である。
【発明を実施するための形態】
【００１１】
以下、本発明を実施するための形態を、図１〜図３を参照して説明する。各図には、収納袋の上方に符号ＵＰ、収納袋の下方に符号ＤＷを適宜付す。なお図２では、便宜上、一つの生花にのみ符号を付すこととする。
【００１２】
図１の収納袋１０は、略台形状（正面視）の袋体であり、第一開口部１１と、第二開口部１２を有する。第一開口部１１は、収納袋１０の頂部側（上端）に形成されており、第二開口部１２は、頂部側よりも幅狭の底部側（下端）に形成される。
本実施例では、例えば第一開口部１１から生花２を挿入しつつ、第二開口部１２から生花２の茎を突出させる（図２を参照）。この種の収納袋１０では、コスト増加を極力抑えつつ（結束具を用いることなく）、生花２を作業性良く収納できることが望ましい。
そこで本実施例では、後述の構成により、収納袋１０のコスト増加を極力抑えつつ、生花２を作業性良く収納することとした。以下、各構成について詳述する。
【００１３】
［収納袋］
収納袋１０は、一対のフィルム（表フィルム１４ｆ，裏フィルム１４ｓ）を重ね合わせたのち、両フィルムの側部（一側部１５ｆ，他側部１５ｓ）を一体化することで作製できる（図１を参照）。
ここで表フィルム１４ｆと裏フィルム１４ｓは、ともに略台形状（正面視）のシート体であり、透明又は半透明（典型的にポリプロピレン製）であることが好ましい。両フィルムの側部１５ｆ，１５ｓを一体化する手法は特に限定しないが、典型的には、熱刃を押し当てるなどして、同側部を融着して一体化する。
本実施例の収納袋１０は、上述の開口部１１，１２と、一対のキャッチ部２０ａ，２０ｂと、一対のドット部３０ａ，３０ｂと、複数のガイド部４０ａ〜４０ｄを有する。
そして生花２を、複数のガイド部４０ａ〜４０ｄにより、収納袋１０の底面側にスムーズに案内する。つぎに一対のキャッチ部２０ａ，２０ｂ（又はドット部３０ａ，３０ｂ）により生花２の茎を保持することとした（図２を参照）。
【００１４】
（キャッチ部）
キャッチ部２０ａ，２０ｂは、二枚重ねのフィルム１４ｆ，１４ｓを線状に一体化してなる部位であり、収納袋１０の底部側に形成できる。
ここでキャッチ部２０ａ，２０ｂの形成方法は特に限定しないが、融着、接着、ホチキス等の物理的手段を例示できる。なかでも融着によるキャッチ部２０ａ，２０ｂの形成は、収納袋１０の他工程（フィルム側部の一体化工程）と同一手法でできるため、収納袋１０の作製工程を簡略化できる。
【００１５】
本実施例では、一対のキャッチ部２０ａ，２０ｂを、収納袋１０の底部側に対向状に（左右対称に）形成する。このとき一方のキャッチ部２０ａを、収納袋１０の一側部１５ｆに形成しつつ、第二開口部１２に向かって延設する。また他方のキャッチ部２０ｂを、収納袋１０の他側部１５ｓに（一方のキャッチ部との対面位置に）形成しつつ、第二開口部１２に向かって延設する。
各キャッチ部２０ａ（２０ｂ）は、それぞれ傾斜した直線状をなしており、第二開口部１２に近づくにつれてしだいに収納袋１０の側部１５ｆ（１５ｓ）から離間する。これにより第二開口部１２に近づくにつれて、一対のキャッチ部２０ａ，２０ｂの間のクリアランスがしだいに小さくなり、最下部のクリアランスＣ１が最も狭くなる（図１を参照）。
【００１６】
（ドット部）
ドット部３０ａ，２０ｂは、二枚重ねのフィルム１４ｆ，１４ｓを点状に一体化してなる部位である。
本実施例では、一対のドット部３０ａ，３０ｂを、一対のキャッチ部２０ａ，２０ｂの間に左右対称に形成する。このとき一方のドット部３０ａを、一方のキャッチ部２０ａの内側に形成するとともに、他方のドット部３０ｂを、他方のキャッチ部２０ｂの内側に形成する。
そして一対のドット部３０ａ，３０ｂの間に所定のクリアランスＣ２（Ｃ２＜Ｃ１）を設けて、生花２の茎（単数又は比較的少数の束）を挿入状態で保持可能とする（図１を参照）。
ここで各ドット部３０ａ，３０ｂの形成方法は特に限定しないが、融着や接着などの手法を例示できる。そして後述するように、各ドット部３０ａ，３０ｂの外形寸法等を適宜調節して、生花２の束（比較的多数の束）の挿入により、一対のドット部３０ａ，３０ｂの少なくとも一つが破断する構成とすることができる。
【００１７】
（ガイド部）
複数のガイド部（第一ガイド部４０ａ，４０ｂ，第二ガイド部４０ｃ，４０ｄ）は、それぞれ二枚重ねのフィルム１４ｆ，１４ｓを線状に一体化してなる部位である。
本実施例では、一対の第一ガイド部４０ａ，４０ｂと、一対の第二ガイド部４０ｃ，４０ｄを、この順で、収納袋１０の底部側に（左右対称に）形成する。そして各ガイド部４０ａ〜４０ｄを、キャッチ部２０ａ，２０ｂよりも上方に配置する。
このとき一方の第一ガイド部４０ａを、収納袋１０の一側部１５ｆに形成しつつ、第二ガイド部４０ｃに向かって延設する。また他方の第一ガイド部４０ｂを、収納袋１０の他側部１５ｓに（一方の第一ガイド部４０ａとの対面位置に）形成しつつ、第二ガイド部４０ｄに向かって延設する。
また同様に一方の第二ガイド部４０ｃを、収納袋１０の一側部１５ｆに形成しつつ、一方のキャッチ部２０ａに向かって延設する。また他方の第二ガイド部４０ｄを、収納袋１０の他側部１５ｓに（一方の第二ガイド部４０ｃとの対面位置に）形成しつつ、他方のキャッチ部２０ｂに向かって延設する。
本実施例では、ガイド部４０ａ〜４０ｄを分割形成して、これらの形成面積（例えばフィルムの融着面積）を低減することにより、収納袋１０の製造コストを低減できる。
【００１８】
そして各第一ガイド部４０ａ（４０ｂ）は、それぞれ円弧形状（収納袋１０の内方に向かって凸状）をなしており、第二ガイド部４０ｃ（４０ｄ）に近づくにつれて、しだいに収納袋１０の側部１５ｆ（１５ｓ）から離間する。ここで第一ガイド部４０ａ，４０ｂの間のクリアランスは特に限定しないが、一対のキャッチ部２０ａ，２０ｂ（最下部）の間のクリアランスＣ１よりも大きいことが望ましい。
また各第二ガイド部４０ｃ（４０ｄ）は、それぞれ傾斜した直線状をなしており、キャッチ部２０ａ（２０ｂ）に近づくにつれて、しだいに収納袋１０の側部１５ｆ（１５ｓ）から離間する。ここで第二ガイド部４０ｃ，４０ｄの間のクリアランスは特に限定しないが、一対のキャッチ部２０ａ，２０ｂ（最下部）の間のクリアランスＣ１よりも大きいことが望ましい。
【００１９】
［生花の収納作業］
図２を参照して、第一開口部１１から生花２（比較的少数の生花２の束）を挿入しつつ、第二開口部１２から生花２の茎を突出させる。
本実施例では、生花２が、複数のガイド部４０ａ〜４０ｄによってスムーズにキャッチ部２０ａ，２０ｂ側に導かれる。そして生花２の茎が、一対のドット部３０ａ，３０ｂの間に挿入された状態で保持される。このとき第一ガイド部４０ａ，４０ｂ（円弧形状）に沿って生花２がスムーズに案内されるため、第一ガイド部４０ａ，４０ｂの破損が好適に防止又は低減される。
そして複数のガイド部４０ａ〜４０ｄにて生花２（葉）を保持しつつ、一対のドット部３０ａ，３０ｂにて生花２（茎）を保持することで、生花２の収納袋１０からの脱落を防止又は低減できる。
【００２０】
また比較的多数の生花２の束を収納袋１０に収納する場合には、一対のドット部３０ａ，３０ｂを生花２（茎の束の挿入力）にて破断させる。これにより一対のキャッチ部２０ａ，２０ｂの間に生花２（茎の束）を保持することで、収納袋１０を全損させることなく、複数の生花２を収納袋１０に安定的に保持できる。
なお更に多数の生花２の束を収納袋１０に収納する場合には、一対のキャッチ部２０ａ，２０ｂを生花２（茎の束の挿入力）にて破断させる。これにより収納袋１０の側部１５ｆ，１５ｓの間に生花２（茎の束）を保持できる。
【００２１】
以上説明したとおり本実施例では、一対のキャッチ部２０ａ，２０ｂ（又はドット部３０ａ，３０ｂ）によって、底面側における収納袋１０の収納寸法を狭小とする。これにより締結具を要することなく収納袋１０内に生花２を保持できる。
特に本実施例では、複数のガイド部４０ａ〜４０ｄとキャッチ部２０ａ，２０ｂによって、底面側における収納袋１０を筒状に開口させることにより（生花２の収納寸法を狭小とすることにより）、生花２の茎をスムーズに挿入できる。
また本実施例では、生花２の束でドット部３０ａ，３０ｂを破断させることにより、一対のキャッチ部２０ａ，２０ｂの間に比較的多数の生花２を保持できる。
そして本実施例では、生花２を、複数のガイド部４０ａ〜４０ｄに沿って、スムーズにキャッチ部２０ａ，２０ｂ側に導くことができる。
このため本実施例によれば、収納袋１０のコスト増加を極力抑えつつ、生花２を作業性良く収納することができる。そして本実施例の収納袋１０によれば、結束具（テープや輪ゴムなど）を省略できるため、収納袋からの生花の取出しが容易となるとともに、ゴミ（不要となった結束具）を削減できる。
【００２２】
［変形例］
キャッチ部とガイド部は、上述の構成のほか各種の構成を採用できる（図３を参照）。
例えば変形例１の収納袋１０Ａは、一対のガイド部４１ａ，４１ｂと、複数のキャッチ部２１ａ〜２１ｆを有する（図３（ａ）を参照）。
各ガイド部４１ａ（４１ｂ）は、それぞれ傾斜した直線状をなしており（収納袋１０の側部１５ｆ，１５ｓに平行であり）、収納袋１０Ａの側部１５ｆ（１５ｓ）から離間する。そして一対のガイド部４１ａ，４１ｂの上端が、互いに離れる方向に直線状に拡開することで、生花２の挿入が容易となる。
【００２３】
そして複数のキャッチ部（第一キャッチ部２１ａ，２１ｂ、第二キャッチ部２１ｃ，２１ｄ、第三キャッチ部２１ｅ，２１ｆ）は、いずれも傾斜した直線状をなす。
本実施例では、複数のキャッチ部２１ａ〜２１ｆが、一対のガイド部４１ａ，４１ｂ（下方）の延長線状に配置する。このとき最も上部側に、一対の第一キャッチ部２１ａ，２１ｂが左右対称に形成される。また中間に、一対の第二キャッチ部２１ｃ，２１ｄが左右対称に形成される。そして最も下部側に、一対の第三キャッチ部２１ｅ，２１ｆが左右対称に形成される。
そして各キャッチ部の間のクリアランスが、第一キャッチ部２１ａ，２１ｂと、第二キャッチ部２１ｃ，２１ｄと、第三キャッチ部２１ｅ，２１ｆの順でしだいに小さくなる。
【００２４】
本変形例では、生花の数に応じて、各キャッチ部２１ａ〜２１ｆを段階的に破断させることができる。
例えば比較的少数の生花２を挿入する場合には、第三キャッチ部２１ｅ，２１ｆ（最もクリアランスの小さい部分）により生花２を保持できる。
また比較的多数の生花２を挿入する場合には、第三キャッチ部２１ｅ，２１ｆを破断させるなどして、第二キャッチ部２１ｃ，２１ｄにより生花２を保持できる。そして更に多数の生花２を挿入する場合には、第二キャッチ部２１ｃ，２１ｄを破断させるなどして、第一キャッチ部２１ａ，２１ｂにより生花２を保持できる。
【００２５】
変形例２の収納袋１０Ｂは、一対のガイド部４２ａ，４２ｂと、複数のキャッチ部２１ａ〜２１ｆを有する（図３（ｂ）を参照）。
各ガイド部４２ａ（４２ｂ）は、それぞれ傾斜した直線状をなしており、収納袋１０Ａの側部１５ｆ，１５ｓから離間する。本変形例では、一対のガイド部４２ａ，４２ｂの上部が、互いに離れる方向に円弧状に拡開する。そして各ガイド部４２ａ，４２ｂの上部（円弧状）に沿って生花２がスムーズに案内されるため、各ガイド部４２ａ，４２ｂの破断が好適に防止又は低減される。
【００２６】
変形例３の収納袋１０Ｃは、一対のガイド部４３ａ，４３ｂと、一対のキャッチ部２２ａ，２２ｂを有する（図３（ｃ）を参照）。
本変形例では、一方のガイド部４３ａとキャッチ部２２ａが一体化されて、収納袋の一側部１５ｆに配置する。また他方のガイド部４３ｂとキャッチ部２２ｂが一体化されて、収納袋の他側部１５ｓに配置する。
そして一対のガイド部４５ａ，４５ｂが、互いに離れる方向に円弧状に拡開する。また一対のキャッチ部２２ａ，２２ｂが、それぞれ直線状をなしており、第二開口部１２に向かって平行に延設される（キャッチ部の間のクリアランスが一定である）。そして一対のキャッチ部２２ａ，２２ｂ（クリアランス一定）によって、収納袋１０の底面側が筒状とされることにより、生花２の束をより安定的に保持できる。
【００２７】
本実施形態の生花の収納袋は、上述した実施形態に限定されるものではなく、その他各種の実施形態を取り得る。
（１）本実施形態では、一対のキャッチ部（２０ａ，２０ｂ等）を収納袋１０に設けたが、単数のキャッチ部（左右のいずれかのキャッチ部）を設けることもできる。また同様に単数のドット部を収納袋に設けることができ、単数のガイド部を収納袋に設けることもできる。
（２）また本実施形態では、ガイド部４０ａ〜４０ｄ等を、収納袋１０の中央よりも下方に形成したが、収納袋１０の中央から上方に若干突出させることもできる。
【００２８】
（３）また本実施形態では、ガイド部とドット部を形成する例を説明したが、ガイド部を省略することもできる。
（４）また本実施形態では、略台形状の収納袋を例示したが、ワイングラス状等の各種の形状の収納袋に本実施例の構成を適用できる。
【符号の説明】
【００２９】
２     生花
１０   収納袋
１１   第一開口部
１２   第二開口部
１４ｆ 表フィルム
１４ｓ 裏フィルム
２０ａ，２０ｂ  キャッチ部
３０ａ，３０ｂ  ドット部
４０ａ，４０ｂ  第一ガイド部
４０ｃ，４０ｄ  第二ガイド部
【図１】
0005485234.tif 000002
【図２】
0005485234.tif 000003
【図３】
0005485234.tif 000004